(57)【要約】【課題】生理中の女性に対して、視覚を通じてより“癒し”や“安心感”を与えるとともに、製造工程中の検査工程での光センサーによる検査が適切に行われる吸収性物品を提供する。【解決手段】人体に当接する面に位置するトップシート２と、トップシート２と反対側の面であって、下着に当接する面に位置するバックシート３と、トップシート２とバックシート３の間に介装される吸収体４と、を備える生理用ナプキン１において、バックシート３は着色領域８を有し、着色領域８は、光センサーから出力される光が透過可能な光線透過率を有する。【選択図】図２
2005160710.tif 000002
【特許請求の範囲】
【請求項１】
人体に当接する面に位置するトップシートと、前記トップシートと反対側の面であって、下着に当接する面に位置するバックシートと、前記トップシートと前記バックシートの間に介装される吸収体と、を備える吸収性物品において、
前記バックシートは着色領域を有し、
前記着色領域は、光センサーから出力される光が透過可能な光線透過率を有することを特徴とする吸収性物品。
【請求項２】
人体に当接する面に位置するトップシートと、前記トップシートと反対側の面であって、下着に当接する面に位置するバックシートと、前記トップシートと前記バックシートの間に介装される吸収体と、を備える吸収性物品において、
前記バックシートは、着色領域と非着色領域を有し、
前記非着色領域に、光センサーから出力される光を透過させて検査を行う検査部が設けられていることを特徴とする吸収性物品。
【請求項３】
人体に当接する面に位置するトップシートと、前記トップシートと反対側の面であって、下着に当接する面に位置するバックシートと、前記トップシートと前記バックシートの間に介装される吸収体と、を備える吸収性物品において、
前記バックシートは着色領域を有し、
前記着色領域における光センサーによる検査が行われる検査部は、前記光センサーから出力される光が透過可能な光線透過率を有することを特徴とする吸収性物品。
【請求項４】
前記着色領域には、吸収性物品の前後方向を識別する識別表示が設けられていることを特徴とする請求項１〜３の何れか一項に記載の吸収性物品。
【発明の詳細な説明】
【技術分野】
【０００１】
本発明は、吸収性物品に関する。
【背景技術】
【０００２】
従来、吸収性物品としての生理用ナプキンにおいては、例えば、人体に当接する面に位置するトップシートと、トップシートの反対側の面であって、下着当接面に位置するバックシートと、両シートに介装される吸収体とを備えるものが知られている。
このような生理用ナプキンについては、生理中はとかく憂鬱になりがちな女性の気分を明るくする、“癒し”の効果や“安心感”を生み出すための工夫が施されている。例えば、剥離紙に模様を施した上で、包装材に透明性をもたせ、個装状態で外側から剥離紙の模様が視認できるようにし、その外観をカラフルなものにすることで、携帯時や使用時などにおいて、視覚的な面から女性の気分を紛らわすものなどが知られている。（例えば、特許文献１）
【特許文献１】特開２００３−１９９７８６号公報
【発明の開示】
【発明が解決しようとする課題】
【０００３】
しかし、特許文献１の発明の場合、バックシートに施された図柄、即ち、バックシートに点在する図柄によって訴えかけるに留まるため、その視覚効果は充分とは言い難いものであった。生理中の女性に対して、より視覚的に訴えかけ、“癒し”や“安心感”を与えるためには、バックシート面のより多くを着色して下着との一体感を出したり、着色した上にさらに模様を施す等して、より高い視覚効果をもたらす構造とすることが望ましい。
【０００４】
そこで、より高い視覚効果を得るために、色付きのバックシートとすると、バックシートの光線透過率が低下する。表１は、バックシートとして用いられる、着色が施されたポリエチレン、ポリプロピレン等の遮水性を有するシート材や不透液性不織布シート、微多孔性シート材等のフィルム（以下、「印刷フィルム」という）の光線透過率の測定結果である。
【表１】
2005160710.tif 000003
【０００５】
表１に示すように、青色や赤色の印刷フィルムは特に光線透過率が低く、１５％を下回ることが分かる。
【０００６】
一方、生理用ナプキンの製造工程においては、製品チェックを目的とした検査のために光センサーが用いられる。詳細には、吸収体が正しい位置に確実に内包されていること、異物が混入していないこと等を確認するために、光センサーが、最終製品である生理用ナプキンの特定領域を測定し、該領域の光線透過率が一定値を下回ると、内包されている吸収体のずれ、異物の混入等が発生したと判断し、不良品と認識してラインから外す、という仕組みである。これによって、最終製品中の異常品は除外されることとなる。具体的には、例えば、光透過率が１５％を下回ると、異常品として認識されることとなる。
【０００７】
従って、バックシートである通気性フィルムに着色（特に青色や赤色による着色）をすると、バックシートの光線透過率が１５％を下回り、製造工程中の検査工程における光センサーによるチェック時に異常品として認識されてしまうおそれがある。
【０００８】
つまり、女性に対して高い視覚効果を与えるべく、バックシートに着色した印刷フィルムを用いると、製造工程中の検査工程において正常品と異常品の適切な判断が行われないという弊害が生じることとなる。
【０００９】
そこで、本発明の課題は、生理中の女性に対して、視覚を通じてより“癒し”や“安心感”を与えるとともに、製造工程中の検査工程での光センサーによる検査が適切に行われる吸収性物品を提供することである。
【課題を解決するための手段】
【００１０】
前述した課題を解決するために、請求項１に記載の発明は、人体に当接する面に位置するトップシートと、前記トップシートと反対側の面であって、下着に当接する面に位置するバックシートと、前記トップシートと前記バックシートの間に介装される吸収体と、を備える吸収性物品において、前記バックシートは着色領域を有し、前記着色領域は、光センサーから出力される光が透過可能な光線透過率を有することを特徴とする。
【００１１】
ここで、本発明における着色領域とは、顔料を塗布することによって図、柄、模様、色、識別情報等が印刷された領域を指す。
【００１２】
請求項２に記載の発明は、人体に当接する面に位置するトップシートと、前記トップシートと反対側の面であって、下着に当接する面に位置するバックシートと、前記トップシートと前記バックシートの間に介装される吸収体と、を備える吸収性物品において、前記バックシートは、着色領域と非着色領域を有し、前記非着色領域に、光センサーから出力される光を透過させて検査を行う検査部が設けられていることを特徴とする。
【００１３】
ここで、非着色領域とは、バックシート面における着色領域以外の領域を指す。
また、本発明における検査とは、検査工程において、光センサーによって正常品と異常品の判別を行うことを意味する。
さらに、検査部とは、製造工程中の検査工程において、光センサーから出力される光が照射されるバックシート面の領域のことで、その大きさは任意であり、少なくとも一箇所であって、複数設けても構わない。
【００１４】
請求項３に記載の発明は、人体に当接する面に位置するトップシートと、前記トップシートと反対側の面であって、下着に当接する面に位置するバックシートと、前記トップシートと前記バックシートの間に介装される吸収体と、を備える吸収性物品において、前記バックシートは着色領域を有し、前記着色領域における光センサーによる検査が行われる検査部は、前記光センサーから出力される光が透過可能な光線透過率を有することを特徴とする。
【００１５】
請求項４に記載の発明は、請求項１〜３の何れか一項に記載の吸収性物品において、前記着色領域には、吸収性物品の前後方向を識別する識別表示が設けられていることを特徴とする。
【発明の効果】
【００１６】
請求項１に記載の発明によれば、着色領域を有しながらも、光センサーから出力される光が透過可能なバックシートを有する吸収性物品を得ることとなる。
これにより、着色領域を有するバックシートの生み出す視覚的効果によって、生理中の女性に“癒し”や“安心感”を与えるとともに、光センサーから出力される光が透過可能であることによって、製造工程中の検査工程において、適切な検査を行うことが出来る。
【００１７】
請求項２に記載の発明によれば、着色領域を有しながらも、光センサーから出力される光を透過させて検査を行う検査部が非着色領域に設けられた吸収性物品を得ることとなる。
これにより、着色領域を有するバックシートの生み出す視覚的効果によって、生理中の女性に“癒し”や“安心感”を与えるとともに、フィルムに塗布して印刷バックシートを形成した場合に、着色領域には光センサーから出力される光が透過されない任意の顔料を用いて着色を施すことが出来ることとなって、よりバリエーションに富んだ、多彩な着色領域とすることが出来る。さらに、光センサーから出力される光が透過可能な光線透過率を有する非着色領域を備えることによって、製造工程中の検査工程において、適切な検査を行うことが出来る。
【００１８】
請求項３に記載の発明によれば、光センサーから出力される光が透過可能な光線透過率を備える検査部を有するバックシートを有する吸収性物品を得ることとなる。
これにより、着色領域を有するバックシートの生み出す視覚的効果によって、生理中の女性に“癒し”や“安心感”を与えるのみならず、検査部以外の着色領域には、任意の顔料を用いて着色を施すことが出来、よりバリエーションに富んだ、多彩な着色領域とすることが出来る。さらに、光センサーから出力される光が透過可能な光線透過率を有する検査部を備えることによって、検査工程において、適切な検査を行うことが出来る。
【００１９】
請求項４に記載の発明によれば、請求項１〜３の何れか一項に記載の発明と同様の効果が得られることは無論のこと、特に、バックシートに前後表示が設けられた吸収性物品を得ることとなる。
これにより、バックシートに印刷された前後表示によって、吸収性物品の前後を容易に判断することが出来、装着時の安心感を向上させると同時に、装着感も向上させることが出来る。
【発明を実施するための最良の形態】
【００２０】
［実施形態１］
以下、本発明の実施形態１を、図１を用いて説明する。
図１は本願発明の吸収性物品を適用した実施形態１の生理用ナプキンの模式図である。
【００２１】
図１に示すように、吸収性物品としての生理用ナプキン（以下「ナプキン」という）１は、装着時に人体に当接する面に位置するトップシート２と、トップシート２と反対側の面であって、下着に当接する面に位置するバックシート３と、トップシート２とバックシート３との間に介装される吸収体４と、吸収体４の長手両側縁部において、ナプキン１の前端部１１ａから後端部１１ｂにわたって設けられた左右一対のサイドシート５、５と、ナプキン１の長手方向中央部、両側縁部において、サイドシート５、５とバックシート３が共に側方に延出して成る係止片６、６等を備え、包装材（図示略）によって包装される。
【００２２】
トップシート２は、ナプキン１を下着に装着した際に人体に接する肌当接面に設けられるものである。トップシート２は透液性のシートであり、経血を吸収して吸収体４まで輸送する役割を果たす。透液性のシートとしては、例えば、有孔または無孔の不織布や、多孔性プラスチックシートなどにより形成されるものが挙げられる。不織布は、繊維を織ったり編んだりすることなく、繊維どうしを化学的方法、機械的方法または、それらの組み合わせにより、結合や絡み合せを行ったものであり、不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、乾式法、湿式法、スパンレース法、スパンボンド法、サーマルボンド法、メルトブロー法、ニードルパンチ法、或いはこれらを組み合わせた方法等によって不織布を製造することができる。
トップシート２には多数の透孔が形成されており、これにより経血やおりもの等の体液がより速やかに吸収されるようになると共に、ドライタッチ性に優れたものとなる。
【００２３】
バックシート３は、トップシート２と反対側の非肌当接面側に設けられている。バックシート３は不透液性且つ光線透過性のシートであり、吸収体４で吸収した経血を下着にもたらさない役割を果たす。不透液性のシートとしては、例えば、ポリエチレン、ポリプロピレン等の少なくとも遮水性を有するシート材が用いられるが、光線透過性からはポリエチレン１００％のものが望ましい。この他にポリエチレンシート等に不織布を積層したラミネート不織布や、さらには防水フィルムを介在させて実質的に不透液性を確保した上で不織布シート（この場合には、防水フィルムと不織布とでバックシートを構成する。）などを用いることができる。近年は、ムレ防止の観点から透湿性を有するものが好適に用いられる傾向にある。この遮水性と透湿性とを具備するシート材としては、例えば、ポリエチレンやポリプロピレン等のオレフィン系樹脂中に無機充填剤を溶融混練してシートを形成した後、一軸または二軸方向に延伸することにより得られる微多孔性シート材などである。本実施形態においては、通気性ポリエチレンシートを用いた。
【００２４】
具体的には、実施形態１のバックシート３には、着色が施された、ポリエチレン、ポリプロピレン等の遮水性を有するシート材や不透液性不織布シート、微多孔性シート材等のフィルムである印刷フィルムが用いられ、着色領域８が設けられている。フィルムへの印刷には、グラビア印刷、フレキソ印刷、インクジェット印刷などの方法が用いられる。
バックシート３としての印刷フィルムを得るために、本実施形態においては、有機顔料系の、Ｃ．Ｉ．ピグメント１５を用いたが、この他にも、Ｃ．Ｉ．ピグメントブルー２７、Ｃ．Ｉ．ピグメントイエロー１２、Ｃ．Ｉ．ピグメントイエロー１、Ｃ．Ｉ．ピグメントイエロー１４、Ｃ．Ｉ．ピグメントイエロー８３、Ｃ．Ｉ．ピグメントグリーン７、Ｃ．Ｉ．ピグメントバイオレット１９、Ｃ．Ｉ．ピグメントバイオレット２３、Ｃ．Ｉ．ピグメントバイオレット１９、Ｃ．Ｉ．ピグメントオレンジ１３、Ｃ．Ｉ．ピグメントレッド５７−１、Ｃ．Ｉ．ピグメントレッド５７、Ｃ．Ｉ．ピグメントレッド２２、Ｃ．Ｉ．ピグメントレッド４８、Ｃ．Ｉ．ピグメントレッド１６６等を用いることが出来る。
【００２５】
前述した顔料を用いた印刷フィルムはいずれも１５％以上の光線透過率を有する。従って、前述した印刷フィルムを用いたバックシート３は、いずれも１５％以上の光線透過率を備えることとなる。ここで、１５％以上の光線透過率としたのは、後述するナプキンの検査工程での光センサーによる判別検査が、光線透過率１５％を閾値として異常品と正常品の判別を行うためであり、この光センサーの閾値によって、印刷フィルムの光線透過率の下限を設定してよい。
光線透過率は、全光線測定方法  ＪＩＳ  Ｋ  ７１０５に従って、株式会社村上色彩技術研究所製のヘイズ・透過・反射率計  ＨＲ−１００を用いて測定した。
【００２６】
ここで、印刷フィルムとした状態で１５％に満たない光線透過率を有する顔料を用いる場合、例えば、顔料の使用量をバックシートとしてのフィルム全重量（０．６８８ｇ）の０．５〜２０％とすることで１５％以上の光線透過率を備えることとなる。
【００２７】
さらに、印刷フィルムとした状態で、１５％に満たない光線透過率を有する顔料を用いる場合、例えば、顔料を塗布する面積をバックシート面積（２０９．８ｃｍ2）の３〜９７％とすることで、１５％以上の光線透過率を備えることとなる。
【００２８】
吸収体４は、ナプキン１の使用時に体液としての尿等の水様成分を吸収する働きを成すものであり、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）により覆われて構成されている。尚、吸収体コアは、単層構造であっても良いし、複数層に分かれた構造でも構わない。
【００２９】
サイドシート５、５は、不透液性の不織布のシートにより形成されている。サイドシート５、５は、トップシート２の上方に延出してなる内側端部５１と、他方の端部であってナプキン１の外郭を形成する外側端部５２を有し、内側端部５１近傍において、トップシート２に接着し、外側端部５２近傍において、バックシート３に接着することで固定されている。サイドシート５は、トップシート２及び吸収体４で受け、保持し切れなかった体液を外部へ漏らさないための役割を果たす。本実施形態においては、サイドシート５は不織布を使用した。
【００３０】
係止片６、６は、例えば、一般的にウイングまたはフラップと呼ばれるものであり、ナプキン１を下着に装着し、下着の股下部を挟んでバックシート３側に折り返し、下着の肌当接面と反対の面に接着することによって、装着者の動きによるナプキン１のずれを防ぐ役割等を果たす。係止片６、６は、トップシート２とバックシート３を延出させることによって形成することも可能だが、別の部材としてもよい。つまり、係止片６、６は、液透過性の素材を用いて形成してもよいし、液不透過性素材で形成して構わない。本実施の形態においては、サイドシート５とバックシート３とを延出させることによって形成した。
【００３１】
次いで、ナプキン１の製造工程における検査工程について説明する。
ナプキン１の製造工程においては、検査工程が設けられている。検査工程では、トップシート２とバックシート３の間に確実に吸収体４が内包されているか、内包されていても、吸収体４が縒れたり、ずれ込んでいたり、欠損したりしていないか、また異物が混入していないか等の問題が発生した、いわゆる異常品と正常品の判別検査が光センサーによって行われている。光センサーは、ナプキン１に光を出力し、この透過率、即ち、光線透過率によって、異常品と正常品を判別する。具体的には、光線透過率が１５％以上のナプキンを正常品、１５％未満のナプキンを異常品と判別する。
【００３２】
従って、正常品と異常品の判別を適切に行うためには、ナプキン１のバックシート３が１５％以上の光線透過率を有する必要がある。つまり、印刷フィルムであるバックシート３を用いたナプキン１の光線透過率は、１５％以上であることが好ましい。より好ましくは１５％〜８０％であって、さらに好ましくは１５％〜５５％である。８０％を超えると、未使用状態であってもバックシート３に施したデザインが視認しづらくなり、５５％を上回るとナプキン１の使用後、吸収体に吸収された経血が透けて見えることとなり、バックシート３のデザインが視認しずらくなるからである。
【００３３】
以上、説明した実施形態１に係るナプキン１によれば、着色領域８を有するバックシート３の生み出す視覚的効果によって、生理中の女性に“癒し”や“安心感”を与えるとともに、光センサーから出力される光が透過可能なバックシート３を有するナプキン１であることによって、検査工程において、適切な検査を行うことが出来る。
【００３４】
［実施形態２］
次に、本発明の実施形態２を、図３を用いて説明する。
図３は本願発明の吸収性物品を適用した実施形態２の生理用ナプキンの模式図である。また、実施形態２におけるナプキン１０は、バックシート３１に施された図柄が実施形態１と異なる。従って、実施形態２を説明するにあたり、上記実施形態１と同様の構成については、同一の符号を付し、説明は省略する。
ナプキン１０のバックシート３１には、着色が施された印刷フィルムが用いられる。
ここで、バックシート３１としての印刷フィルムを得るためにフィルムに塗布する顔料は任意の顔料を用いて構わない。
【００３５】
本実施の形態においては、バックシート３１は、着色領域８と非着色領域９とを有し、非着色領域９に、光センサーによる判別検査が行われる検査部７が設けられている。
【００３６】
ここで、検査部７とは、製造工程中の検査工程において、光センサーから出力される光が照射されるバックシート面の領域のことで、その大きさは任意であり、少なくとも一箇所設けられていれば良く、複数設けても構わない。
本実施形態２では、例えば、ナプキン１０の前端部１１ａ近傍に、ナプキン１０の短手方向（幅方向）に略沿って設けられた一ヶ所の検査部７ａ、該検査部７と直交する方向で、同様に前端部１１ａ近傍に一方の内側端部５１に略沿って設けられた１箇所の検査部７ｂ、係止片６の付け根部分に設けられた二箇所の検査部７ｃ、７ｄの合計４つの検査部７が設けられている。
つまり、いずれの検査部７も、非着色領域９上に設けられていることとなる。従って、検査部７は１５％以上の光線透過率を有し、製造工程中の検査工程において、正常品と異常品の適切な判断が行われることとなる。
【００３７】
以上、説明した実施形態２に係るナプキン１０によれば、着色領域８を有するバックシート３１の生み出す視覚的効果によって、生理中の女性に“癒し”や“安心感”を与えるとともに、検査工程において適切な検査を行うことが出来るバックシート３１を、フィルムに塗布した場合に印刷フィルムの光線透過率が１５％以下となる顔料を用いて着色することが出来、よりバリエーションに富んだ、効果的な着色領域８とすることが出来る。
【００３８】
［実施形態３］
次に、本発明の実施形態３を、図４を用いて説明する。
図４は本願発明の吸収性物品を適用した実施形態３の生理用ナプキンの模式図である。
また、実施形態３におけるナプキン２０は、バックシート３２に施された図柄が実施形態１と異なる。従って、実施形態３を説明するにあたり、上記実施形態１と同様の構成については、同一の符号を付し、説明は省略する。
ナプキン２０のバックシート３２には、着色が施された印刷フィルムが用いられる。
【００３９】
本実施の形態においては、バックシート３２は、着色領域８を有し、検査部７は淡着色領域８１上に設けられている。検査部７が設けられている淡着色領域８１には、フィルムに塗布して印刷フィルムとした場合に、１５％以上の光線透過率を有する顔料が用いられているため、検査部７は１５％以上の光線透過率を有する。従って、バックシート３２の大部分が、光線透過率１５％以下であっても、検査工程において、正常品と異常品の適切な判別が確実に行われることとなる。
【００４０】
以上、説明した実施形態３に係るナプキン２０によれば、着色領域８を有するバックシート３２の生み出す視覚的効果によって、生理中の女性に“癒し”や“安心感”を与えるのみならず、検査工程において適切な検査を行うことが出来るバックシート３２を、フィルムに塗布した場合に印刷フィルムの光線透過率が１５％以下となる顔料を用いて着色することが出来る。そして、検査部７を含む淡着色領域８１に塗布する顔料を、濃着色領域８２に塗布する顔料と近い階調の色とすることで検査部７を際立たせてしまうことがなくなり、よりデザイン性に優れた、効果的な着色領域とすることが出来る。
【００４１】
［実施形態４］
次に、本発明の実施形態４を、図５を用いて説明する。
図５は本願発明の吸収性物品を適用した実施形態４の生理用ナプキンの模式図である。
実施形態４におけるナプキン３０は、バックシート３３に施された図柄が実施形態１と異なる。従って、実施形態４を説明するにあたり、上記実施形態１と同様の構成については、同一の符号を付し、説明は省略する。
ナプキン３０のバックシート３３には、着色が施された印刷フィルムが用いられる。
【００４２】
図５に示すように、バックシート３３には、複数の矢印が一定の方向、すなわち１１ｂから１１ａの方向にその先端を向けて配置される。前後方向を識別するための識別表示である矢印が一定の方向に沿って施されていることによって、ユーザーは、ナプキンの前後を容易に判断することが出来る。
このとき、着色領域８は識別表示としての矢印部分であって、非着色領域９はそれ以外の領域である。検査部７には、顔料が塗布されていないか、もしくはフィルムに塗布して印刷フィルムとした場合に１５％以上の光線透過率を有する顔料が塗布される。
【００４３】
以上説明した実施形態４のナプキン３０によれば、製造工程中の検査工程における確実な検査が行われるのみならず、使用時における前後の判断が難しいナプキン３０について、容易に前後認識をすることが出来る。
【００４４】
［実施形態５］
次に、本発明の実施形態５を、図６を用いて説明する。
図６は本願発明の吸収性物品を適用した実施形態５の生理用ナプキンの模式図である
また、実施形態５におけるナプキン４０は、バックシート３４に施された図柄が実施形態１と異なる。従って、実施形態５を説明するにあたり、上記実施形態１と同様の構成については、同一の符号を付し、説明は省略する。
ナプキン４０のバックシート３４には、着色が施された印刷フィルムが用いられる。
【００４５】
図６に示すように、バックシート３４は、細かい模様の集合体によって表示される、前後方向を識別するための識別表示である略三角形が、一定の方向、すなわち１１ｂから１１ａの方向に三角形の一の頂点を向けて配置されている。この配置によって、ユーザーは容易にその前後を判断することが出来る。
このとき、着色領域８は、細かい模様の集合体によって表示される略三角形であって、非着色領域９は、該略三角形以外の領域である。検査部７には、顔料が塗布されていないか、もしくはフィルムに塗布して印刷フィルムとした場合に１５％以上の光線透過率を有する顔料が塗布される。
【００４６】
［実施形態６］
次に、本発明の実施形態６を、図７を用いて説明する。
図７は本願発明の吸収性物品を適用した実施形態６の生理用ナプキンの模式図である
また、実施形態６におけるナプキン５０は、バックシート３５に施された図柄が実施形態１と異なる。従って、実施形態６を説明するにあたり、上記実施形態１と同様の構成については、同一の符号を付し、説明は省略する。
ナプキン５０のバックシート３５には、着色が施された印刷フィルムが用いられる。
【００４７】
図７に示すように、バックシート３５は、複数の星型の図柄が全面に施されており、１１ｂ近傍に描かれた星型は、１１ａ近傍に描かれた星型に比較してその面積は大きく、星型の大きさは１１ｂから１１ａに向かって徐々に小さくなるようデザインされている。前後方向を識別するための識別表示である星型の面積が一方向に向かって変化する図柄によって、ユーザーはその前後を容易に判断することが出来る。
このとき、着色領域８は星型の図柄部分であって、非着色領域９は、星型の図柄以外の領域である。検査部７には、顔料が塗布されていないか、もしくはフィルムに塗布して印刷フィルムとした場合に１５％以上の光線透過率を有する顔料が塗布される。
【００４８】
［実施形態７］
次に、本発明の実施形態７を、図８を用いて説明する。
図８は本願発明の吸収性物品を適用した実施形態７の生理用ナプキンの模式図である
また、実施形態７におけるナプキン６０は、バックシート３６に施された図柄が実施形態１と異なる。従って、実施形態７を説明するにあたり、上記実施形態１と同様の構成については、同一の符号を付し、説明は省略する。
ナプキン６０のバックシート３６には、着色が施された印刷フィルムが用いられる。
【００４９】
図８に示すように、バックシート３６は、１１ｂから１１ａに亘って濃淡のグラデーションがかかっている。前後方向を識別するための識別表示である色の濃度が一方向に向かって変化する図柄によって、ユーザーはその前後を判断することが出来る。
このとき、着色領域８はバックシート全面である。検査部７には、顔料が塗布されていないか、もしくはフィルムに塗布して印刷フィルムとした場合に１５％以上の光線透過率を有する顔料が塗布される。
【００５０】
以上に説明した各実施形態に係るデザインの形成方法には、例えば、熱エンボス加工やエンボス加工を用いることが出来る。熱エンボス加工やエンボス加工は、特にバックシートの非着色領域上に顔料を用いて着色領域としての図柄を設ける形態（実施形態５、６、７）において有効である。
熱エンボス加工は、熱可塑性樹脂シートであるフィルムを熱圧縮して、該過熱部分の樹脂を部分的に溶融した上で融着させてエンボス部の突出状態を形成する加工方法である。この方法を用いることによって、顔料を塗布して着色領域を形成した印刷フィルムにさらに凹凸による模様を設けることが出来る。
エンボス加工は、フィルムを圧縮し、圧縮する力によってフィルムにエンボス部の突出状態を形成する加工方法である。この方法によっても、着色を施した印刷フィルムにさらに凹凸による模様を設けることが出来る。
熱エンボス及びエンボス加工によると、顔料が塗布されて着色領域が設けられた印刷フィルムに、顔料を用いることなく図柄を形成することとなるため、印刷フィルムの光線透過率を低減することなく、検査工程での判別検査を確実に行うことが出来る。
【００５１】
顔料をフィルムに塗布して印刷フィルムを形成した場合、特にベタ塗り状態とするために多量の顔料を用いた場合には、顔料が乾燥するまでに時間がかかる。顔料がフィルムに定着する前に次工程に進めると、工程中のラインや設備に顔料が付着してしまうのみならず、好適な印刷状態を維持することが出来なくなる。しかし一方で、充分乾燥させようとすると、乾燥時間を要してしまい、製造効率が低下することとなる。そこで、顔料をフィルムに塗布し、さらにフィルムにホットメルト接着剤を塗布することによって、顔料がホットメルト接着剤によって覆われることとなり、印刷状態を好適に維持出来るのみならず、効率の低下を防ぐことが出来る。
【００５２】
さらに例えば、顔料として水溶性インクを使用して印刷フィルムとした場合、ナプキン１が水分を吸収すると、該水分によってバックシートに施された図柄が消失し、使用状況が容易に判断出来るバックシートとすることが出来る。
【００５３】
また、バックシートに施す図柄としては、前後表示の識別が可能な図柄に限られることはなく、ストライプや格子柄等の全体的に均一な図柄であっても良い。
【図面の簡単な説明】
【００５４】
【図１】本願発明の吸収性物品を適用した実施形態１の生理用ナプキンの模式図である。
【図２】図１の生理用ナプキンの裏面側の模式図である。
【図３】本願発明の吸収性物品を適用した実施形態２の生理用ナプキンの裏面側の模式図である
【図４】本願発明の吸収性物品を適用した実施形態３の生理用ナプキンの裏面側の模式図である。
【図５】本願発明の吸収性物品を適用した実施形態４の生理用ナプキンの裏面側の模式図である。
【図６】本願発明の吸収性物品を適用した実施形態５の生理用ナプキンの裏面側の模式図である。
【図７】本願発明の吸収性物品を適用した実施形態６の生理用ナプキンの裏面側の模式図である。
【図８】本願発明の吸収性物品を適用した実施形態７の生理用ナプキンの裏面側の模式図である。
【符号の説明】
【００５５】
１      生理用ナプキン
２      トップシート
３      バックシート
４      吸収体
５      サイドシート
６      係止片
７      検査部
８      着色領域
９      非着色領域
１０    生理用ナプキン
１１ａ  前端部
１１ｂ  後端部
２０    生理用ナプキン
３０    生理用ナプキン
３１    バックシート
３２    バックシート
３３    バックシート
３４    バックシート
３５    バックシート
３６    バックシート
４０    生理用ナプキン
５０    生理用ナプキン
５１    内側端部
５２    外側端部
６０    生理用ナプキン
８１    淡着色領域
８２    濃着色領域
【図１】
2005160710.tif 000004
【図２】
2005160710.tif 000005
【図３】
2005160710.tif 000006
【図４】
2005160710.tif 000007
【図５】
2005160710.tif 000008
【図６】
2005160710.tif 000009
【図７】
2005160710.tif 000010
【図８】
2005160710.tif 000011